【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
３次元の標的部位をビームで囲むための装置であって、
ビーム発生機器と、
面内の経路に沿って前記ビームを方向付けるように構成された機器であって、前記機器からのビームの経路は、アイソセンタを頂点に有する一定の開口角の円錐を前記ビームが描くように水平軸線回りに回転し、前記アイソセンタは標的部位に対して固定されたままである、機器と、
前記標的部位を包含する体を固定することに適した保持装置であって、前記体は、水平と垂直との間の角度で延在する体軸線に沿って縦方向に方向付けられ、前記水平より上方の前記体軸線の角度と前記円錐の軸線及び前記円錐の任意の線の間の角度との合計がほぼ直角であり、当該装置は、前記ビームの経路の回転と同時に、前記標的部位のほぼ中心を通過する垂直軸線回りに前記体を回転させる、保持装置と、
を備える装置。
【請求項２】
前記ビームは粒子線である、請求項１に記載の装置。
【請求項３】
前記経路は、前記ビームの誘導装置としての磁石を含む、請求項１に記載の装置。
【請求項４】
前記ビーム発生機器はサイクロトロンである、請求項１に記載の装置。
【請求項５】
前記経路は少なくとも２つの角度を含む、請求項１に記載の装置。
【請求項６】
前記円錐の軸線回りの前記ビームの回転は、前記ビーム及び前記保持装置の両方が３６０°回転している間に、前記ビームが前記体軸線に対してほぼ直角に前記体の周囲の前記標的部位に接触するように、前記装置の回転に対して制御された関係を有する、請求項１に記載の装置。
【請求項７】
前記保持装置は、
回転可能なプラットフォームと、
前記プラットフォームに取り付けられたフレームと、
前記体を固定することに適したトレイと、
を更に備える、請求項１に記載の装置。
【請求項８】
前記フレームは前記プラットフォームに移動可能に取り付けられている、請求項７に記載の装置。
【請求項９】
前記トレイは前記フレームに移動可能に取り付けられている、請求項７に記載の装置。
【請求項１０】
前記ビームの回転は、前記ビームが前記体軸線に対して直角以外の角度で前記標的部位に接触するように前記装置の回転に対応する、請求項１に記載の装置。
【請求項１１】
３次元の標的部位をビームで囲むための方法であって、
ビームを発生させる工程と、
前記ビームが既定の点を通過するように、経路に沿って前記ビームを方向付ける工程であって、前記経路は少なくとも第１角度および第２角度を含む、工程と、
最後の前記角度から現れる前記ビームの一部が、前記既定の点がアイソセンタにある円錐を描くように、軸線回りに前記経路を回転させる工程と、
標的領域が前記アイソセンタに位置するように体を位置決めする工程であって、前記体は、水平から３０度と６０度との間の角度を有する軸線に沿って方向付けられ、前記角度と前記円錐の軸線及び前記円錐の任意の線の間の角度との合計がほぼ直角である、工程と、
標的領域が空間内に静止したままになるように、前記ビームの経路の回転と同時に、垂直軸線回りに前記体を回転させる工程と、
前記ビームが前記体軸線にほぼ直角な平面の前記標的領域に接触するように、２つの前記回転の速度を調整する工程と、
を備える方法。
【請求項１２】
粒子線治療を患者に施す装置であって、
粒子線発生機器と、
前記機器からの線の経路が、アイソセンタを頂点に有する円錐を描くように、面内に固定された回転させられる経路に沿って前記線を方向付けるように構成された複数の磁石であって、前記アイソセンタは名目上、腫瘍部位に対して固定されたままである、複数の磁石と、
水平より上方の角度で前記患者を固定することに適した保持装置であって、前記角度と前記円錐の軸線及び前記円錐の任意の線の間の角度との合計はほぼ直角であり、当該装置は、前記線の経路の回転と同時に、前記腫瘍部位のほぼ中心を通過する垂直軸線回りに前記患者を回転させる、保持装置と、を備えており、当該保持装置は、
回転可能なプラットフォームと、
前記プラットフォームに移動可能に取り付けられたフレームと、
前記フレームに移動可能に取り付けられ、体を固定することに適したサポートと、を有しており、
前記線が、前記患者の体の長さに沿って延在する軸線にほぼ直角に、かつ、前記腫瘍部位のほぼ中心を通過して標的部位に交差するように、前記線の前記回転の速度が当該装置の前記回転の速度に対応し、前記軸線は、前記線が前記患者の体の表面から前記腫瘍部位の中心まで可能な最短経路を通過するように位置合わせされる、装置。
【請求項１３】
前記患者は水平からほぼ３０度と６０度との間の角度に方向付けられる、請求項１２に記載の装置。
【請求項１４】
体のスキャンを行う装置であって、
ビーム発生機器と、
面内に固定された経路に沿ってビームを方向付けるように構成された機器であって、前記面は、アイソセンタを頂点に有する円錐を形成するように水平軸線回りに回転し、前記アイソセンタは標的部位に対して固定されたままである、機器と、
前記標的部位を包含する体を固定することに適した保持装置であって、前記体は水平より上方の角度に方向付けられ、前記角度と前記円錐の軸線及び前記円錐の任意の線の間の角度との合計がほぼ直角であり、当該装置は、前記ビームの経路の回転と同時に、前記標的部位のほぼ中心を通過する垂直軸線回りに前記体を回転させる、保持装置と、
前記体の反対側にある領域検出器であって、前記ビームの前記回転の軸線と同軸上にある軸線回りに回転し、前記検出器の前記回転は、前記ビームが前記標的部位を通過した後に前記検出器が前記ビームを遮断するように、前記ビームの回転と連動させられる、検出器と、
を備える装置。
【請求項１５】
３次元画像を作成するように、前記経路に沿って位置するｘ線源を更に備える、請求項１４に記載の装置。
【請求項１６】
３次元画像を作成する方法であって、前記方法は、
円錐の形状で経路が回転するビームを発生させる工程と、
前記円錐の頂点が標的領域内に位置するように、前記標的領域を有する体を位置決めする工程であって、前記体は、水平からの角度を有する体軸線に沿って方向付けられ、前記角度と前記円錐の軸線及び前記円錐の任意の線の間の角度との合計がほぼ直角である、工程と、
前記標的領域が空間内に実質的に静止したままになるように、前記標的領域を通過する垂直軸線回りに前記体を回転させる工程と、
前記体の回転と同時に、前記ビームの源を軸線回りに回転させる工程と、
領域検出器が、前記ビームを検出するように前記ビームに対して垂直に方向付けられて前記円錐の軸線と同軸上の軸線上に取り付けられ、前記標的部位は前記ビームの源と前記検出器との間に位置する、工程と、
前記ビームから前記検出器までの前記経路が前記体軸線周りの平面の前記標的領域を通過するように、前記ビーム、前記体、および前記検出器の回転の速度を連動させる工程と、
前記ビームを前記検出器で検出する工程と、
を備える方法。
【手続補正２】
【補正対象書類名】図面
【補正対象項目名】図２Ａ
【補正方法】変更
【補正の内容】
【図２Ａ】
2012518466.tif 000001
【手続補正３】
【補正対象書類名】図面
【補正対象項目名】図２Ｂ
【補正方法】変更
【補正の内容】
【図２Ｂ】
2012518466.tif 000002
【手続補正４】
【補正対象書類名】図面
【補正対象項目名】図３Ａ
【補正方法】変更
【補正の内容】
【図３Ａ】
2012518466.tif 000003
【手続補正５】
【補正対象書類名】図面
【補正対象項目名】図４Ａ
【補正方法】変更
【補正の内容】
【図４Ａ】
2012518466.tif 000004
【手続補正６】
【補正対象書類名】図面
【補正対象項目名】図５
【補正方法】変更
【補正の内容】
【図５】
2012518466.tif 000005